【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
ユーザ機器において受信されるべき動作セルラー受信周波数帯域を判断することと、
前記動作セルラー受信周波数帯域の少なくとも１つの整数倍を判断することと、
産業科学医療用、ＩＳＭ、通信と前記動作セルラー受信周波数帯域の前記少なくとも１つの整数倍との間の干渉を低減することに少なくとも部分的に基づいて、ＩＳＭ通信のための少なくとも１つのＩＳＭ周波数帯域を選択することと
を備える、ワイヤレス通信の方法。
【請求項２】
前記選択することが、前記動作セルラー受信周波数帯域の前記少なくとも１つの整数倍から少なくとも所定の距離にある前記少なくとも１つのＩＳＭ周波数帯域を選択することを備える、請求項１に記載の方法。
【請求項３】
相互変調により前記動作セルラー受信周波数帯域の前記少なくとも１つの整数倍と干渉する、ＩＳＭ送信周波数帯域とセルラー送信周波数帯域とを識別することと、
前記相互変調から生じる干渉を低減するように、ＩＳＭ通信のための前記少なくとも１つの周波数帯域を選択することと
をさらに備える、請求項１に記載の方法。
【請求項４】
動作セルラー周波数帯域のアクティブセットを判断することをさらに備え、前記選択することがさらに、前記アクティブセットに少なくとも部分的に基づく、請求項１に記載の方法。
【請求項５】
前記ＩＳＭ通信がＢｌｕｅｔｏｏｔｈ通信またはワイヤレスローカルエリアネットワーク通信である、請求項１に記載の方法。
【請求項６】
ユーザ機器において受信されるべき動作セルラー受信周波数帯域を判断するための手段と、
前記動作セルラー受信周波数帯域の少なくとも１つの整数倍を判断するための手段と、
産業科学医療用、ＩＳＭ、通信と前記動作セルラー受信周波数帯域の前記少なくとも１つの整数倍との間の干渉を低減することに少なくとも部分的に基づいて、ＩＳＭ通信のための少なくとも１つのＩＳＭ周波数帯域を選択するための手段と
を備える、ワイヤレス通信のための装置。
【請求項７】
前記選択するための手段が、前記動作セルラー受信周波数帯域の前記少なくとも１つの整数倍から少なくとも所定の距離にある前記少なくとも１つのＩＳＭ周波数帯域を選択するための手段をさらに備える、請求項６に記載の装置。
【請求項８】
相互変調により前記動作セルラー受信周波数帯域の前記少なくとも１つの整数倍と干渉する、ＩＳＭ送信周波数帯域とセルラー送信周波数帯域とを識別するための手段と、
前記相互変調から生じる干渉を低減するように、ＩＳＭ通信のための前記少なくとも１つの周波数帯域を選択するための手段と
をさらに備える、請求項６に記載の装置。
【請求項９】
動作セルラー周波数帯域のアクティブセットを判断するための手段をさらに備え、前記選択するための手段が、前記アクティブセットに少なくとも部分的に基づいて選択するための手段をさらに備える、請求項６に記載の装置。
【請求項１０】
前記ＩＳＭ通信がＢｌｕｅｔｏｏｔｈ通信またはワイヤレスローカルエリアネットワーク通信である、請求項６に記載の装置。
【請求項１１】
コンピュータプログラム製品であって、
プログラムコードを記録したコンピュータ可読媒体を備え、前記プログラムコードが、コンピュータに、実行されたときに請求項１〜５のうちのいずれかにしたがって方法の全てのステップを実行させる、コンピュータプログラム製品。
【手続補正２】
【補正対象書類名】明細書
【補正対象項目名】００８２
【補正方法】変更
【補正の内容】
【００８２】
[0093]開示した態様の前述の説明は、当業者が本開示を実施または使用できるように与えたものである。これらの態様への様々な修正は当業者には容易に明らかになり、本明細書で定義した一般原理は、本開示の趣旨または範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に本願発明の当初の特許請求の範囲に記載された発明を付記する。
［Ｃ１］動作セルラー受信周波数帯域を判断することと、
前記動作セルラー受信周波数帯域の少なくとも１つの整数倍を判断することと、
産業科学医療用（ＩＳＭ）通信と前記動作セルラー受信周波数帯域の前記少なくとも１つの整数倍との間の干渉を低減することに少なくとも部分的に基づいて、ＩＳＭ通信のための少なくとも１つのＩＳＭ周波数帯域を選択することと
を備える、ワイヤレス通信の方法。
［Ｃ２］前記選択することが、前記動作セルラー受信周波数帯域の前記少なくとも１つの整数倍から少なくとも所定の距離にある前記少なくとも１つのＩＳＭ周波数帯域を選択することを備える、Ｃ１に記載の方法。
［Ｃ３］相互変調により前記動作セルラー受信周波数帯域の前記少なくとも１つの整数倍と干渉する、ＩＳＭ送信周波数帯域とセルラー送信周波数帯域とを識別することと、
前記相互変調から生じる干渉を低減するように、ＩＳＭ通信のための前記少なくとも１つの周波数帯域を選択することと
をさらに備える、Ｃ１に記載の方法。
［Ｃ４］動作セルラー周波数帯域のアクティブセットを判断することをさらに備え、前記選択することがさらに、前記アクティブセットに少なくとも部分的に基づく、Ｃ１に記載の方法。
［Ｃ５］前記ＩＳＭ通信がＢｌｕｅｔｏｏｔｈ通信またはワイヤレスローカルエリアネットワーク通信である、Ｃ１に記載の方法。
［Ｃ６］動作セルラー受信周波数帯域を判断するための手段と、
前記動作セルラー受信周波数帯域の少なくとも１つの整数倍を判断するための手段と、
産業科学医療用（ＩＳＭ）通信と前記動作セルラー受信周波数帯域の前記少なくとも１つの整数倍との間の干渉を低減することに少なくとも部分的に基づいて、ＩＳＭ通信のための少なくとも１つのＩＳＭ周波数帯域を選択するための手段と
を備える、ワイヤレス通信のための装置。
［Ｃ７］前記選択手段が、前記動作セルラー受信周波数帯域の前記少なくとも１つの整数倍から少なくとも所定の距離にある前記少なくとも１つのＩＳＭ周波数帯域を選択するための手段をさらに備える、Ｃ６に記載の装置。
［Ｃ８］相互変調により前記動作セルラー受信周波数帯域の前記少なくとも１つの整数倍と干渉する、ＩＳＭ送信周波数帯域とセルラー送信周波数帯域とを識別するための手段と、
前記相互変調から生じる干渉を低減するように、ＩＳＭ通信のための前記少なくとも１つの周波数帯域を選択するための手段と
をさらに備える、Ｃ６に記載の装置。
［Ｃ９］動作セルラー周波数帯域のアクティブセットを判断するための手段をさらに備え、選択するための前記手段が、前記アクティブセットに少なくとも部分的に基づいて選択するための手段をさらに備える、Ｃ６に記載の装置。
［Ｃ１０］前記ＩＳＭ通信がＢｌｕｅｔｏｏｔｈ通信またはワイヤレスローカルエリアネットワーク通信である、Ｃ６に記載の装置。
［Ｃ１１］メモリと、
前記メモリに結合された少なくとも１つのプロセッサであって、
動作セルラー受信周波数帯域を判断することと、
前記動作セルラー受信周波数帯域の少なくとも１つの整数倍を判断することと、
産業科学医療用（ＩＳＭ）通信と前記動作セルラー受信周波数帯域の前記少なくとも１つの整数倍との間の干渉を低減することに少なくとも部分的に基づいて、ＩＳＭ通信のための少なくとも１つのＩＳＭ周波数帯域を選択することとを行うように構成された少なくとも１つのプロセッサと
を備える、ワイヤレス通信のための装置。
［Ｃ１２］前記少なくとも１つのプロセッサが、前記動作セルラー受信周波数帯域の前記少なくとも１つの整数倍から少なくとも所定の距離にある前記少なくとも１つのＩＳＭ周波数帯域を選択することによって選択するようにさらに構成された、Ｃ１１に記載の装置。
［Ｃ１３］前記少なくとも１つのプロセッサが、
相互変調により前記動作セルラー受信周波数帯域の前記少なくとも１つの整数倍と干渉する、ＩＳＭ送信周波数帯域とセルラー送信周波数帯域とを識別することと、
前記相互変調から生じる干渉を低減するように、ＩＳＭ通信のための前記少なくとも１つの周波数帯域を選択することと
を行うようにさらに構成された、Ｃ１１に記載の装置。
［Ｃ１４］前記少なくとも１つのプロセッサが、動作セルラー周波数帯域のアクティブセットを判断するようにさらに構成され、前記少なくとも１つのプロセッサが、前記アクティブセットに少なくとも部分的に基づいて選択するようにさらに構成された、Ｃ１１に記載の装置。
［Ｃ１５］前記ＩＳＭ通信がＢｌｕｅｔｏｏｔｈ通信またはワイヤレスローカルエリアネットワーク通信である、Ｃ１１に記載の装置。
［Ｃ１６］ワイヤレスネットワークにおけるワイヤレス通信のためのコンピュータプログラム製品であって、
非一時的プログラムコードを記録したコンピュータ可読媒体を備え、前記プログラムコードが、
動作セルラー受信周波数帯域を判断するためのプログラムコードと、
前記動作セルラー受信周波数帯域の少なくとも１つの整数倍を判断するためのプログラムコードと、
産業科学医療用（ＩＳＭ）通信と前記動作セルラー受信周波数帯域の前記少なくとも１つの整数倍との間の干渉を低減することに少なくとも部分的に基づいて、ＩＳＭ通信のための少なくとも１つのＩＳＭ周波数帯域を選択するためのプログラムコードと
を備える、コンピュータプログラム製品。
［Ｃ１７］前記プログラムコードが、前記動作セルラー受信周波数帯域の前記少なくとも１つの整数倍から少なくとも所定の距離にある前記少なくとも１つのＩＳＭ周波数帯域を選択することによって選択するためのコードをさらに備える、Ｃ１６に記載のコンピュータプログラム製品。
［Ｃ１８］前記プログラムコードが、
相互変調により前記動作セルラー受信周波数帯域の前記少なくとも１つの整数倍と干渉する、ＩＳＭ送信周波数帯域とセルラー送信周波数帯域とを識別するためのプログラムコードと、
前記相互変調から生じる干渉を低減するように、ＩＳＭ通信のための前記少なくとも１つの周波数帯域を選択するためのプログラムコードと
をさらに備える、Ｃ１６に記載のコンピュータプログラム製品。
［Ｃ１９］前記プログラムコードが、動作セルラー周波数帯域のアクティブセットを判断するためのコードをさらに備え、前記プログラムコードが、前記アクティブセットに少なくとも部分的に基づいて選択するためのコードをさらに備える、Ｃ１６に記載のコンピュータプログラム製品。
［Ｃ２０］前記ＩＳＭ通信がＢｌｕｅｔｏｏｔｈ通信またはワイヤレスローカルエリアネットワーク通信である、Ｃ１６に記載のコンピュータプログラム製品。